(57)【要約】      （修正有）【課題】デジタル記録媒体上に医用画像データを記録するためのシステムである。【解決手段】医用撮像モダリティから複数のビデオ画像を受信するための医用撮像モダリティ・インタフェースを含む。ビデオ撮像装置は、医用撮像モダリティから複数のビデオ画像を捕捉し、複数のビデオ画像を複数のデジタル画像に変換するために医用撮像モダリティと結合している。メディア・ライタは、着脱可能媒体上に複数のデジタル画像を記録するためにビデオ撮像装置と結合している。ＣＰＵが設置されているコンピュータは、システムの動作を制御するために、医用撮像モダリティ・インタフェース、ビデオ撮像装置、およびメディア・ライタと結合している。ユーザ・インタフェースは、ユーザが、システムの動作および方法を制御する際に入力することができるように、コンピュータ、医用撮像モダリティ・インタフェース、ビデオ撮像装置およびメディア・ライタと結合している。【選択図】図１
2006181357.tif 000002
【特許請求の範囲】
【請求項１】
デジタル記録媒体上に医用画像データを記録するためのシステムであって、
医用撮像モダリティから複数のビデオ信号を受信するための医用撮像モダリティ・インタフェースと、
前記医用撮像モダリティから複数のビデオ画像を捕捉し、前記複数のビデオ画像を複数のデジタル画像に変換するために、前記医用撮像モダリティと結合しているビデオ撮像装置と、
着脱可能媒体上に前記複数のデジタル画像を記録するために、前記ビデオ撮像装置と結合しているメディア・ライタと、
前記システムの動作を制御するために、前記医用撮像モダリティ・インタフェース、前記ビデオ撮像装置、および前記メディア・ライタと結合している、ＣＰＵが設置されているコンピュータと、
前記システムの動作を制御する際に、ユーザが入力できるようにするために、前記コンピュータ、前記医用撮像モダリティ・インタフェース、前記ビデオ撮像装置、および前記メディア・ライタと結合しているユーザ・インタフェースと、
を備えるシステム。
【請求項２】
前記システムをネットワークに接続するためのネットワーク・インタフェースをさらに備える請求項１に記載のシステム。
【請求項３】
複数のデジタル画像を記憶するためのハード・ドライブをさらに備える請求項１に記載のシステム。
【請求項４】
前記システムを電力源に接続するための電力インタフェースをさらに備える請求項１に記載のシステム。
【請求項５】
前記電力源から入力を受信し、前記システムに電源を供給する電力源をさらに備える請求項４に記載のシステム。
【請求項６】
前記医用撮像モダリティ・インタフェースが、複数のビデオ入力およびビデオ出力を含む請求項１に記載のシステム。
【請求項７】
前記医用撮像モダリティ・インタフェースが、少なくとも１つのオーディオ入力およびオーディオ出力を含む請求項１に記載のシステム。
【請求項８】
前記医用撮像モダリティが、固定または静的医用撮像モダリティである請求項１に記載のシステム。
【請求項９】
前記医用撮像モダリティが、携帯型医用撮像モダリティである請求項１に記載のシステム。
【請求項１０】
前記複数のビデオ信号が、インタレース方式およびノンインタレース方式のビデオ信号を含む請求項１に記載のシステム。
【請求項１１】
前記複数のビデオ信号が、ＲＧＢビデオ信号を含む請求項１に記載のシステム。
【請求項１２】
前記複数のビデオ信号が、Ｓ−Ｖｉｄｅｏビデオ信号を含む請求項１に記載のシステム。
【請求項１３】
前記複数のビデオ信号が、複合カラーまたはモノクロ・ビデオ信号を含む請求項１に記載
のシステム。
【請求項１４】
前記複数のビデオ信号が、ＶＧＡビデオ信号を含む請求項１に記載のシステム。
【請求項１５】
前記メディア・ライタがＣＤライタである請求項１に記載のシステム。
【請求項１６】
前記メディア・ライタがＤＶＤライタである請求項１に記載のシステム。
【請求項１７】
前記着脱可能媒体がＣＤである請求項１に記載のシステム。
【請求項１８】
前記着脱可能媒体がＤＶＤである請求項１に記載のシステム。
【請求項１９】
前記コンピュータが、前記システムの動作を制御するための、インストールされているソフトウェアを含む請求項１に記載のシステム。
【請求項２０】
前記ソフトウェアが、再生のための前記着脱可能媒体上にＤＩＣＯＭビューア・アプリケーションをインストールする請求項１９に記載のシステム。
【請求項２１】
前記ＤＩＣＯＭビューア・アプリケーションが、少なくとも１つのファイル・エクスポート・ユーティリティ、少なくとも１つの電子メール・ユーティリティおよび少なくとも１つの印刷ユーティリティを含む請求項２０に記載のシステム。
【請求項２２】
前記ユーザ・インタフェースがディスプレイを含む請求項１に記載のシステム。
【請求項２３】
前記ユーザ・インタフェースが、プッシュボタンを備えるキーパッドを含む請求項１に記載のシステム。
【請求項２４】
デジタル記録媒体上に医用画像データを記録するための方法であって、
医用撮像モダリティから複数のビデオ画像を受信するステップと、
前記医用撮像モダリティから前記複数のビデオ画像を捕捉するステップと、
前記複数のビデオ画像を複数のデジタル画像に変換するステップと、
着脱可能媒体上に前記複数のデジタル画像を記録するステップとを含む方法。
【請求項２５】
前記複数のビデオ画像が、デジタル化され、医用デジタル適合フォーマットでＤＶＤに書き込まれる請求項２４に記載の方法。
【請求項２６】
前記医用デジタル適合フォーマットが、ＤＩＣＯＭフォーマットである請求項２４に記載の方法。
【請求項２７】
前記複数のデジタル画像が、連続的に記録される請求項２４に記載の方法。
【請求項２８】
前記複数のデジタル画像が、先を見越して記録される請求項２４に記載の方法。
【請求項２９】
前記複数のデジタル画像が、過去を遡って記録される請求項２４に記載の方法。
【請求項３０】
前記複数のデジタル画像が、スナップショット・モードで静止画像として記録される請求項２４に記載の方法。
【請求項３１】
前記複数のデジタル画像が、特定の時間に特定のフレーム速度で記録される請求項２４に記載の方法。
【請求項３２】
前記複数のビデオ画像が、インタレース方式およびノンインタレース方式のビデオ画像を含む請求項２４に記載の方法。
【請求項３３】
前記複数のビデオ画像が、ＲＧＢビデオ画像を含む請求項２４に記載の方法。
【請求項３４】
前記複数のビデオ画像が、Ｓ−Ｖｉｄｅｏビデオ画像を含む請求項２４に記載の方法。
【請求項３５】
前記複数のビデオ画像が、複合カラーまたはモノクロ・ビデオ画像を含む請求項２４に記載の方法。
【請求項３６】
前記複数のビデオ画像が、ＶＧＡビデオ画像を含む請求項２４に記載の方法。
【請求項３７】
前記着脱可能媒体上にＤＩＣＯＭビューア・アプリケーションを自動的にインストールするステップをさらに含む請求項２４に記載の方法。
【請求項３８】
患者名、ＩＤ番号、および登録番号を抽出し、前記複数のビデオ画像からリアルタイムでデジタル・テキスト・フィールドに変換することができる自動文字認識を前記複数の記録済みデジタル画像に適用するステップをさらに含む請求項３７に記載の方法。
【請求項３９】
前記デジタル・テキスト・フィールドが、再生の際に、参照、データベース管理およびデータ検索を容易に行うことができるように前記着脱可能媒体上のファイル・ヘッダ内に置かれる請求項３８に記載の方法。
【請求項４０】
ＨＩＰＡＡコンプライアンス機能を、前記記録済みの着脱可能媒体上に、操作者ログイン、パスワード保護、およびＨＩＰＡＡ肯定応答画面を含む前記複数の記録済みのデジタル画像に追加するステップをさらに含む請求項２４に記載の方法。
【請求項４１】
前記着脱可能媒体が満杯になるか、操作者により取り外されるまで、前記複数のデジタル画像を連続的に記録する複数の保管モードにより、着脱可能媒体上に前記複数のデジタル画像を記録するステップをさらに含む請求項２４に記載の方法。
【請求項４２】
任意の記録しなかったデジタル画像が、新しい着脱可能媒体上に記録するためのハード・ドライブ上に記憶される請求項４１に記載の方法。
【請求項４３】
ＤＩＣＯＭビューア・アプリケーションと一緒に、着脱可能媒体毎に１人の患者の記録を記録する個別患者モードにより、着脱可能媒体上に前記複数のデジタル画像を記録するステップをさらに含む請求項２４に記載の方法。
【請求項４４】
前記医用撮像モダリティから少なくとも１つのオーディオ入力を受信するステップをさらに含む請求項２４に記載の方法。
【請求項４５】
前記医用撮像モダリティまたはフットスイッチから遠隔露出を受信するステップをさらに含む請求項２４に記載の方法。
【発明の詳細な説明】
【技術分野】
【０００１】
本出願は、参照により本明細書に組み込むものとする、２００４年１１月２７日付けの米国仮特許出願第６０／６３１，２６３号の利益に基づくもので、その利益を主張する。
【背景技術】
【０００２】
本発明は、概して、ＣＤまたはＤＶＤのようなポータブル・デジタル記録媒体上に医用ビデオ画像データを記録するためのシステムおよび方法に関し、特に医用画像およびビデオ・データを受信し、医用画像およびビデオ・データを加工し、ポータブル・デジタル記録媒体上に記録された医用画像およびビデオ・データを送信するためのシステムおよび方法に関する。
【０００３】
Ｘ線フィルムは、医用画像を入手し、貯蔵し、および配布するための優れた多目的媒体であった。しかし、フィルムの貯蔵および配布は、多くの場合、かなりの費用と貯蔵スペースを必要とする。Ｘ線撮像装置に続いて、超音波、核医学、コンピュータ断層撮影法（ＣＴ）および磁気共鳴画像法（ＭＲＩ）のような身体の組織を撮像する種々の異なる方法が開発されている。Ｘ線デバイスは、フィルムの代わりにコンピュータ画面が使用されるデジタル・システムに代替されつつある。フィルム・ライブラリの代わりに、デジタル画像保管通信システム（ＰＡＣＳ）が使用されるようになってきていて、放射線医学者の作業の効率化を支援している。
【０００４】
現代の健康管理施設では、超音波、コンピュータ断層撮影法（ＣＴ）および磁気共鳴画像法（ＭＲＩ）のようなコンピュータ支援撮像装置を使用している。これらのデバイスは、約数秒の間に数百の画像を生成することができる。多くの健康管理施設では、貯蔵および配布のためにフィルム上に印刷するために生成した画像を必要とする。これらの撮像装置からの医用画像の完全なセットを印刷するには、フィルム材料、収納スペースおよび管理にかなりの費用が必要になる。
【０００５】
現代の健康管理施設のいくつかの放射線科は、ＰＡＣＳ（画像保管通信システム）と呼ばれるデジタル画像記憶および管理システムを使用している。ＰＡＣＳは、デジタルの形で大量の医用画像データを記憶することができる。デジタル・データの通信を容易にするために、医用撮像装置とＰＡＣＳ間の通信のために、ＤＩＣＯＭ（医学におけるデジタル撮像および通信）規格が、ＡＣＲ−ＮＥＭＡ（全国電気工業会の米国放射線科医学会）により開発された。ＰＡＣＳは医用画像データをＤＩＣＯＭフォーマットで記憶する。検査した画像の他に、患者のプロフィール、および患者名、患者の年齢、検査番号、検査モダリティ、検査機械名、および検査日時のような検査情報も、ＤＩＣＯＭ互換データ・フォーマットで記憶し、検索することができる。ＤＩＣＯＭファイルは、通常、ファイルのヘッダ内に患者および検査情報を記憶し、その後に検査画像が続く。
【発明の開示】
【発明が解決しようとする課題】
【０００６】
医用画像およびビデオを記憶する他の従来技術の方法は、ＶＣＲおよび光磁気（ＭＯ）ディスク媒体上での再生のためにＳ−ＶＨＳビデオ・テープを使用する。しかし、ビデオ画像およびビデオを保管するこれら従来技術のシステムおよび方法は、すべて特殊な再生または閲覧ハードウェアを必要とし、これらに関連する他の問題もある。
【課題を解決するための手段】
【０００７】
本発明は、デジタル記録媒体上に医用画像データを記録するためのシステムおよび方法である。このシステムおよび方法は、医用撮像モダリティから複数のビデオ画像を受信するための医用撮像モダリティ・インタフェースを有する医用デジタル記録装置（ＭＤＲ）を備える。ビデオ撮影装置は、医用撮像モダリティから複数のビデオ画像を捕捉し、複数のビデオ画像を複数のデジタル画像に変換するために医用撮像モダリティと結合している。メディア・ライタは、着脱可能媒体上に複数のデジタル画像を記録するためにビデオ撮影装置と結合している。その上にＣＰＵが設置されているコンピュータは、システムの動作を制御するために、医用撮像モダリティ・インタフェース、ビデオ撮像装置、およびメディア・ライタと結合している。ユーザ・インタフェースは、ユーザが、システムの動作および方法を制御する際に入力を行うことができるように、コンピュータ、医用撮像モダリティ・インタフェース、ビデオ撮像装置およびメディア・ライタと結合している。
【０００８】
本発明は、ＣＤまたはＤＶＤのようなポータブル・デジタル記録媒体上に記録するデジタル医用画像またはビデオ・データを提供する。ＣＤまたはＤＶＤは、内科医、病院、患者、保険会社等に配布することができる医用画像またはビデオ・データを含む。このシステムおよび方法は、また、医用画像またはビデオ・データを閲覧プログラムと一緒にＣＤまたはＤＶＤ上に記録することができ、そのため、ユーザはＣＤまたはＤＶＤ上に記録済みの医用画像またはビデオ・データを閲覧するために、ＣＤまたはＤＶＤリーダを備える任意のコンピュータを使用することができる。
【０００９】
本発明は、画像診断システムから入手することができる最高の解像度出力から医用ビデオ画像データを記録するように特に設計されている。画像診断システムからのアナログ・フォーマット・ビデオ・データは、ＭＤＲによりデジタル化され、ＤＩＣＯＭ（医学におけるデジタル撮像および通信）のような医用デジタル適合フォーマットでＣＤまたはＤＶＤメディアのような記録可能な媒体に書き込まれる。別の方法としては、ビデオ画像データを任意のＤＶＤプレーヤ上で再生するために、ＭＰＥＧフォーマットでディスクに書き込むこともできる。本発明は、ＤＶＤレコーダへの消費者および／または工業用ビデオとは異なるものにしている複数の医用撮像特定機能を含む。
【００１０】
ＭＤＲは、アナログ撮像装置であり、高度のフォーマットにより医用画像ビデオの全スペクトルを捕捉し、それをＣＤまたはＤＶＤに書き込むデジタル映像記録装置である。ＭＤＲは、ビデオ出力を有する任意の撮像モダリティから画像を記録することができる。本発明の独自の機能は、ＭＤＲのユーザ・インタフェースおよびそのビデオ撮像機能を含む。
【００１１】
本発明のある態様においては、ＭＤＲは、ＤＩＣＯＭ画像管理のためのポータブルＣＤおよびＤＶＤ記録技術を提供するように設計されている。ＭＤＲは、任意の撮像モダリティまたは画像保管通信システム（ＰＡＣＳ）ネットワークから元のＤＩＣＯＭ画像を受信し、ＣＤまたはＤＶＤメディアに書き込む。本発明は、静的および携帯撮像アプリケーションで使用するように特に設計されている医用レベルのＣＤおよびＤＶＤレコーダである。
【００１２】
好適には、ＭＤＲは、レビュー、治療計画、専門医への紹介、患者用コピーおよびアーカイビングのために、ＤＩＣＯＭ画像を記録することが好ましい。ＭＤＲは、任意の医用撮像モダリティまたはＰＡＣＳネットワークから、ＤＶＤまたはＣＤメディアに真のＤＩＣＯＭ画像を受信し、書き込む。ＭＤＲは、その元のデジタル・フォーマットでＤＩＣＯＭ画像を記録するので、何枚コピーをとっても解像度が劣化することはない。ＭＤＲシステムは、各ディスク上に自動的にインストールされるＤＩＣＯＭビューア・アプリケーション・プログラムを含んでいるので、任意のパーソナル・コンピュータ上で画像を容易に閲覧することができる。
【００１３】
ＭＤＲは、ポータブル撮像システムおよび固定撮像モダリティの両方と一緒に使用するためのコンパクトな集積システムを提供する。ＭＤＲを使用すれば、他の従来技術のＭＤＲと比較した場合、ＣＤまたはＤＶＤに画像を記録するコストが非常に安くなる。ＭＤＲを使用すれば、また、どんな方法ででも画像を配布することができる。
【００１４】
コンパクトで場所をとらないので、ＭＤＲは、ポータブル超音波およびＣアーム・システム内に容易に収容することができる。ＭＤＲを使用すれば、ユーザはある手順中またはある手順の後で画像をコピーし、これら画像を直ちに専門医への紹介、患者の記録、または健康管理施設の他のエリアでの閲覧のために使用することができる。ＭＤＲは、ＣＴ、ＭＲＩまたは二次画像キャプチャ解決方法が必要な心臓病学用システムのような固定モダリティの場合にも役に立つ。ＭＤＲは、最小のスペースしか必要としないプロファイルが小さい設計になっていて、任意の撮像装置およびＰＡＣＳネットワークに容易に接続することができる。
【００１５】
ＭＤＲシステムは、操作者が最小限度介入するだけで、効率的に動作するように設計されている。ＭＤＲは、いつでも捕捉することができ、動作の多重保管および個別患者モードの両方を行うことができる。動作の保管モードの場合には、ＭＤＲは、ディスクが満杯になるか、操作者がディスクを取り外すまで画像を連続的に記録する。まだ記録していない画像は、新しい着脱可能媒体が挿入されるまで、ＭＤＲのハードディスク・ドライブ上に記憶される。ＤＩＣＯＭ第１０部の互換ディレクトリを使用すれば、各ディスク上に記録している個々の記録を容易にサーチおよび検索することができる。ＭＤＲは、また、ＨＩＰＡＡへの適合を容易にするために冗長保管システムとして、または小規模な科または撮像センター用の完全なデジタル画像保管用としても使用することができる。動作の個別患者モードの場合には、オプションとしてのＤＩＣＯＭビューア・アプリケーション・プログラムと一緒に、１枚のディスクに１人の患者の記録を記録する。動作の個別患者モードは、内科医または患者通信を参照するためのファイルを生成するために理想的なものであり、スタッフは、任意の使用できるパーソナル・コンピュータ上に個々の検査を閲覧することができ、ＤＩＣＯＭ閲覧ステーション上の信頼を回復することができる。
【００１６】
すでに説明したように、ＭＤＲシステムは、再生のために各ディスク内に書き込むことができるオプションとしてのＤＩＣＯＭビューア・アプリケーション・プログラムを含む。ＭＤＲシステムは完全に直感的なものなので、ユーザは、完全なＤＩＣＯＭデータの即時画像化および操作のために、画像を迅速に検索することができる。ＤＩＣＯＭビューア・アプリケーション・プログラムと一緒に内蔵されているいくつかの一意の機能は、ファイル・エクスポート、電子メールおよび印刷ユーティリティを含む。
【００１７】
ＭＤＲシステムの主要な利点は、コストが安いことおよび記憶容量が大きいことである。ＣＤまたはＤＶＤ上に記録している画像検査は、同じデータを含む二重平面フィルムのコストの約１／４のコストである。ＤＶＤは、Ｓ−ＶＨＳ（スーパーＶＨＳ）テープまたはＭＯ（光磁気）ディスク媒体と比較すると、コストの何分の１かで、最高５０００の画像または約２分３０秒の圧縮していないストリーミング・ビデオを記録することができ、特種な再生または閲覧ハードウェアの追加を必要としない。
【００１８】
また、ＤＶＤおよびＣＤは、他の従来技術のアーカイブ・オプションよりも、遥かに迅速にまた経済的に製造することができる。ＣＤおよびＤＶＤメディアは、フィルムのコストの１／４、ＤＡＴ（デジタル・オーディオ・テープ）テープのコストの１／１０、またＳ−ＶＨＳテープのコストの１／５で製造することができる。その上、ディスクは驚くほど大量のデータを記録することができる。１枚のＣＤ上に７００以上の個別の画像を記録することができ、１枚のＤＶＤ上に５，０００以上の個別の画像または等価のストリーミ
ング・ビデオを記録することができる。
【００１９】
下記の詳細な説明、特許請求の範囲および添付の図面を見れば、当業者であれば、本発明の種々の他の機能、目的および利点を理解することができるだろう。
【発明を実施するための最良の形態】
【００２０】
医用撮像の場合、画像保管通信システム（ＰＡＣＳ）は、医用画像の記憶、検索、配布および提示専用のコンピュータまたはネットワークである。全ＰＡＣＳは、蛍光透視法、超音波検査法、Ｘ線撮影法、磁気共鳴画像法（ＭＲＩ）、陽電子放射断層撮影法（ＰＥＴ）、コンピュータ断層撮影法（ＣＴ）等のような種々のモダリティからの画像を処理する。フィルム・アーカイブのような医用画像を管理するためのハードコピーをベースとする手段の代わりに、ＰＡＣＳが使用されるようになってきている。ＰＡＣＳは、遠隔地での閲覧および報告の機能を提供することにより、このような従来のシステムの可能性を拡張する。通常、ＰＡＣＳネットワークは、画像を含むデータベースを記憶する中央サーバからなる。このサーバは、ＬＡＮまたはＷＡＮを通して、画像を提供および／または使用する１つまたは複数のクライアントに接続している。クライアントのワークステーションは、画像フィルムをシステム内に走査するためにおよびシステムおよびデジタル画像の会話型ディスプレイから画像フィルムを印刷するためにローカル周辺機器を使用することができる。現代のＸ線撮影装置は、画像をデジタルの形でＰＡＣＳに直接供給する。医用画像は独立のフォーマットで記憶される。画像を記憶するための最も普通のフォーマットは、ＤＩＣＯＭ（医学におけるデジタル撮像および通信）である。
【００２１】
ＤＩＣＯＭは、医用撮像の際に情報を処理し、記憶し、および送信するための広範な一組の規格である。ＤＩＣＯＭはファイル・フォーマット定義、およびネットワーク通信プロトコルを含む。ＤＩＣＯＭは、多数の販売業者からのスキャナ、サーバ、ワークステーションおよびネットワーク・ハードウェアを画像保管通信システム内に統合することができるように開発された。ＤＩＣＯＭファイルは、画像データの標準化されていて、自由形式のフィールドおよび本体を含むヘッダからなる。個別ＤＩＣＯＭファイルは、１つまたは複数の画像を含むことができ、画像および／またはビデオ・アニメーションのいくつかのボリュームを記憶することができる。画像データは、種々の規格を使用して圧縮することもできる。
【００２２】
図１は、本発明による２つの異なるアプリケーションで使用される医用デジタル記録装置（ＭＤＲ）１０の略図である。ＭＤＲ１０は、医用撮像アプリケーション用に特に設計されていて、商業用または家庭用エンターテイメント構成要素の派生物として設計されていない。都合のよいことに、ＭＤＲ１０は、ＤＩＣＯＭ（医学におけるデジタル撮像および通信）のような医用デジタル適合フォーマットで、ＣＤまたはＤＶＤ１４のような記録可能な媒体に医用画像およびビデオを記録するための超音波、コンピュータ断層撮影法（ＣＴ）および磁気共鳴画像法（ＭＲＩ）のような現在の撮像モダリティと一緒に使用することができる。別の方法としては、ビデオ画像データを、任意のＤＶＤプレーヤ上で再生するために、ＭＰＥＧフォーマットでディスクに書き込むことができる。
【００２３】
ＭＤＲ１０は、ポータブルまたは携帯撮像システム１６および固定撮像モダリティ１２の両方と一緒に使用するためのコンパクトな集積システムを提供する。固定撮像モダリティ１２の場合には、好適には、ＭＤＲ１０は、固定撮像モダリティ１２からの医用画像およびビデオをＣＤまたはＤＶＤ１４上に記録するために、ネットワーク１８と同様に結合している撮像モダリティ１２およびワークステーション２０とインタフェースするためにネットワーク１８と結合していることが好ましい。携帯撮像モダリティ１６の場合には、好適には、ＭＤＲ１０は、携帯撮像モダリティ１６からの医用画像およびビデオをＣＤまたはＤＶＤ１４上に記録するために携帯撮像モダリティ１６と結合していることが好まし
い。次に、ＣＤまたはＤＶＤ１４を、再生および閲覧のために、任意のパーソナル・コンピュータまたは任意のラップトップ・コンピュータ２４にセットすることができる。
【００２４】
本発明のＭＤＲを使用すれば、他の従来技術のＭＤＲと比較した場合、医用画像およびビデオをＣＤまたはＤＶＤに記録するコストを大幅に低減することができる。本発明のＭＤＲは、また、任意の方法で画像を分配することができる。最高品質の再生の場合、画像検査を、ＤＩＣＯＭフォーマットによりＤＶＤまたはＣＤに記録することができ、ＤＩＣＯＭビューアまたはＰＡＣＳワークステーションにより、任意のパーソナル・コンピュータまたは個人用計算デバイスから迅速に検索および閲覧することができるように編成することができる。
【００２５】
ＭＤＲは、占有スペースが小さいので、ポータブル超音波またはＣアーム・システムのようなポータブル撮像モダリティ・システム内に容易に収容することができる。ＭＤＲにより、また、ユーザが撮像手順中または後で画像をコピーし、それを専門医への紹介、患者の記録、または健康管理施設の他のエリア内での閲覧のためにすぐに使用することができる。ＭＤＲは、ＣＴ、ＭＲＩ、または二次画像キャプチャ解決方法が必要な心臓病学用システムのような固定モダリティ上でも役に立つ。ＭＤＲは、最小のスペースしか必要としないプロファイルが小さい設計になっていて、容易に接続することができるので、ＰＡＣＳネットワーク上の任意の場所に容易に取り付けることができる。
【００２６】
ＭＤＲは、着脱可能媒体へのシネ・ループを記憶することが必要な、医用撮像装置およびワークステーションと一緒に使用するためのものである。着脱可能媒体に書き込んだ画像は、適当なＣＤまたはＤＶＤプレーヤを備えるパーソナル・コンピュータ上で閲覧することができる。また、ＤＩＣＯＭ画像ビューアは、ＣＤまたはＤＶＤに書き込むことができ、ＤＩＣＯＭビューア・アプリケーションを有していないパーソナル・コンピュータ上で画像を閲覧することができるようにする。
【００２７】
ＭＤＲは、ＤＩＣＯＭ画像管理のためのポータブルＣＤおよびＤＶＤ記録技術を提供するように設計されている。ＭＤＲは任意の撮像モダリティまたはＰＡＣＳネットワークからＣＤまたはＤＶＤメディアに元のＤＩＣＯＭ画像を受信し、書き込む。ＭＤＲは、静的および携帯撮像アプリケーションの両方で使用するように特別に設計されている医用レベルのＣＤおよびＤＶＤレコーダである。ＭＤＲは、ＤＩＣＯＭ記録フォーマットで動的および静的医用画像の解像度の高い映像記録を提供する。
【００２８】
ＭＤＲは、ＣＤだけ、ＤＶＤだけ、またはＣＤ／ＤＶＤドライブの組合せと一緒に構成することができる。好適には、互換性媒体は、ＣＤ−Ｒ、ＣＤ−ＲＷ、ＤＶＤ＋ＲまたはＤＶＤ＋ＲＷ媒体を含むことが好ましい。本発明は、ＤＩＣＯＭネットワークからまたは撮像モダリティから直接、迅速に効率的に画像を捕捉することができる。本発明は、任意の臨床環境内にネットワーク・デバイスとして設置することができる。本発明は、任意のパーソナル・コンピュータ・モニタまたはラップトップ・パーソナル・コンピュータ・モニタを画像閲覧ステーションにする。ＭＤＲは、いつでも受信モードになっているが、このことは、いつでも撮像データを捕捉することができることを意味する。ＭＤＲは、ディスクに個々の（個別患者モード）または複数の（保管モード）画像検査を記録することができる。
【００２９】
図２は、本発明の医用デジタル記録装置１０のブロック図である。ＭＤＲ１０は、ユーザ・インタフェース２６、撮像モダリティ・インタフェース２８、ネットワーク・インタフェース３０、および電力インタフェース３２を含む。好適には、ユーザ・インタフェース２６は、その上に電子回路を含むキーパッド・プリント回路基板３４、およびその上に電子回路を含むディスプレイ・プリント回路基板３６を含むことが好ましい。また、ユー
ザ・インタフェース２６は、パワー表示器３８および状態表示器４０も含む。
【００３０】
ＭＤＲ１０の後面パネルを示す図４は、撮像モダリティ・インタフェース２８、ネットワーク・インタフェース３０、および電力インタフェース３２を最もはっきり示す。撮像モダリティ・インタフェース２８は、医用撮像モダリティから複数のビデオ信号を受信する。ＭＤＲ１０は、医用撮像モダリティから複数のビデオ画像を受信し、この複数のビデオ画像を複数のデジタル画像に変換するために、医用撮像モダリティと結合しているフレーム・グラバまたはビデオ撮像装置４２を含む。ＭＤＲ１０は、さらに、着脱可能媒体上に複数のデジタル画像を記録するために、ビデオ撮像装置４２と結合しているメディア・ライタ４４を含む。また、ＭＤＲ１０は、撮像モダリティ・インタフェース２８と結合している、その上にＣＰＵ４８が設置されているコンピュータ４６、ビデオ撮像装置４２、およびシステムの動作を制御するためのメディア・ライタ４４も含む。好適には、ユーザ・インタフェース２６は、コンピュータ４６、撮像モダリティ・インタフェース２８、ビデオ撮像装置４２、およびシステムの動作を制御する際にユーザ入力を可能にするためのメディア・ライタ４４と結合することが好ましい。ＭＤＲ１０は、さらに、外部ＡＣ電力源から電源を受け取る内部電源５０、その上に複数のデジタル画像を記憶するための内部ハード・ドライブ５２、およびＭＤＲ１０の内部構造を冷却するためのファン５４を含む。
【００３１】
内部電源５０は、コンピュータ４６、フレーム・グラバ４２、ハード・ドライブ５２、メディア・ライタ４４、およびディスプレイ３６と結合していて、これらに電源を供給する。ディスプレイ３６は、キーパッド３４、パワー表示器３８および状態表示器４０、電源５０およびコンピュータ４６と結合している。メディア・ライタ４４は、電源５０およびコンピュータ４６と結合している。ハード・ドライブ５２は、電源５０およびコンピュータ４６と結合している。フレーム・グラバ４２は電源５０およびコンピュータ４６と結合している。
【００３２】
図３は、本発明のＭＤＲの動作を制御する前面パネル・ユーザ・インタフェース２６の図面である。好適には、ＭＤＲユーザ・インタフェース２６は、ＬＥＤ背面照明を含むＬＣＤディスプレイ５６、およびＭＤＲの動作を制御するための複数のプッシュボタン６０を含むキーパッド５８、パワー表示器３８、状態表示器４０、およびメディア・ライタ４４内に着脱可能媒体を挿入し、そこから取り出すための開口部６２を含むことが好ましい。ＬＣＤディスプレイ５６は、ＭＤＲの現在の状態を表示する。電源コードを含むＡＣ電力源にＡＣ電源コネクタ６６を差し込むことによりＭＤＲに電源を供給し、電源スイッチ６４をオンにした後で、パワー表示器３８が点灯し、ＭＤＲが自動的に初期化する。医用撮像モダリティからＭＤＲへのデータの転送が操作者によりスタートする。
【００３３】
図４は、撮像モダリティ・インタフェース２８、ネットワーク・インタフェース３０、および電力インタフェース３２を含むＭＤＲの後面パネル６８の図面である。好適には、後面パネル６８は、またファン５４、オン／オフ電源スイッチ６４、ＡＣ電源コネクタ６６、シリアル通信コネクタ６８、マウス・コネクタ７０、キーボード・コネクタ７２、ＶＧＡコネクタ７４、システムをネットワークに接続するためのＬＡＮコネクタ３０、ＵＳＢコネクタ７６、および複数のビデオおよびオーディオ・コネクタ２８を含むことが好ましい。複数のビデオ・コネクタは、撮像モダリティからのＲＧＢＳビデオ・イン、およびディスプレイへのＲＧＢＳビデオ・アウト用のＲＧＢＳコネクタ７８、撮像モダリティからのＳ−ＶｉｄｅｏインおよびディスプレイへのＳ−Ｖｉｄｅｏアウト用のＳ−Ｖｉｄｅｏコネクタ８０、撮像モダリティからの複合カラーまたはモノクロ・ビデオ・インおよびディスプレイへの複合カラーまたはモノクロビデオ・アウト用の合成ビデオ・コネクタ８２、撮像モダリティからオーディオ出力するためのものであり、スピーカにオーディオ入力するためのものであるオーディオ・コネクタ８４、および撮像モダリティまたは撮像モ
ダリティのフットスイッチからの接続用のリモート露出コネクタ８６を含む。
【００３４】
好適には、ＭＤＲは、複数のアナログ・ビデオ入力、および少なくとも２つのオーディオ・チャネル入力を受け入れることが好ましい。大部分の従来技術の映像記録装置は、６４０×４８０ラインのＳ−Ｖｉｄｅｏ、または色合成ソースのような放送ビデオ・フォーマットに限定される。ＭＤＲは、最高１６００×１２００ラインの医用ビデオ・ソース、モノクロ・ビデオ・ソース用の１２０ＭＨｚピクセル・クロック周波数、ＲＧＢカラー・ソース用の５０ＭＨｚピクセル・カラー周波数の全範囲を記録することができる。ＭＤＲは、また、インタレース方式またはノンインタレース方式のビデオ・ソースおよび最高１２８０×１０２４の解像度のＶＧＡ信号を記録することができる。ＭＤＲは、また、Ｓ−Ｖｉｄｅｏおよび色合成ソースのような放送規格フォーマットを記録することができる。ＭＤＲの入力範囲は広いので、元のソースと同じ画像を再生することができ、走査変換の欠陥または画像の解像度の劣化を起こさない。
【００３５】
ＭＤＲは、画像の品質を劣化させないでＤＶＤにビデオ記録を提供し、元の画像検査データの出力と同じ出力を提供することができる。好適には、各着脱可能記録媒体（ＤＶＤまたはＣＤ）は、高解像度のビデオ・ソースからＤＩＣＯＭフォーマットで記録することが好ましい。ＭＤＲは、もっと解像度の低いＳ−Ｖｉｄｅｏまたは複合映像源からの記録に限定されない。それどころか、撮像モダリティから最高の帯域幅で撮像データを受信し、記録するので、各検査コピーは元の画像に正確に似たものになる。ＭＤＲが記録した画像は、ビデオ・テープ、Ｓ−ＶｉｄｅｏおよびＭＰＥＧ画像より遥かに優れている。優れた画像品質は、心臓病学、血管形成、脈管および整形外科用途で使用すると特に有利であり、また任意のポータブル撮像モダリティ用に使用すると特に有利である。
【００３６】
図５は、本発明の医用デジタル記録装置１０のディスプレイ５６の図面である。ディスプレイ５６は、ＭＤＲの現在の状態を示す。例えば、ディスプレイ５６は、ディスク状態８８（ディスクなし、ディスク挿入済み、挿入ディスクのタイプ）、ＭＤＲ活動９０（活動していない、媒体チェック、ディスク排出、シネ長さ、フレーム・レート）、現在の活動終了の推定時間９２、使用できるディスク・スペース９４、およびＭＤＲビデオ入力のところにビデオ信号が存在するかどうか９６を含む。
【００３７】
好適には、ＭＤＲは、少なくとも２つの動作モード、すなわち、保管モードおよび個別患者モードを有することが好ましい。保管モードの場合には、画像が捕捉され、着脱可能媒体に自動的に書き込まれる。個別患者モードの場合には、選択した患者からの画像だけが、着脱可能媒体に書き込まれる。
【００３８】
図６Ａ〜図６Ｃは、保管モード中の記録プロセスを示す本発明の医用デジタル記録装置１０のディスプレイ５６の図面である。保管モードの場合には、ＭＤＲの前面パネル上の排出ボタンを押し、ディスクをインストールし、ディスク排出ボタンをもう一度押すと、ＭＤＲ内にディスクが挿入される。ディスクがフォーマットされていない場合には、ＭＤＲは自動的にディスクをフォーマットする。ディスクがフォーマットされると、ＭＤＲは図６Ａに示す情報を表示する。新しい検査をスタートするには、「新しい患者」ソフト・キー１００を押す。患者データの入力は、ＭＤＲの構成により異なる。患者情報が確認されると、ＭＤＲは、接続されたホストからの画像を捕捉することができる。検査から抜け出すには「キャンセル」ソフト・キー１０２を押す。シネ設定スクリーンにアクセスするには、下矢印ボタン１０４を押す。新しい検査のための画像の捕捉をスタートするには、「記録」ソフト・キー１０６を押す。画像の記録をストップするには、「ストップ」ソフト・キー１０８を押す。「ストップ」ソフト・キー１０８を押さないと、シネ長さの値に達した場合に画像の捕捉がストップする。現在の検査を終了するには、「検査終了」ソフト・キー１１０を押す。
【００３９】
図７Ａ〜図７Ｃは、個別患者モード中の記録プロセスを示す本発明の医用デジタル記録装置１０のディスプレイ５６の図面である。ＭＤＲが個別患者モード用に構成されている場合には、個別患者からの画像ファイルが、着脱可能媒体に書き込まれる。患者の検査のリストを閲覧するには、「検査マネージャ」ソフト・キー１１２を押す。検査が受付順にリストの形で表示される。ディスク上の患者のリストを閲覧したい場合には、「検査マネージャ」ソフト・キー１１２を押す。着脱可能ディスクに書き込む患者の検査を検索したい場合には、上矢印ボタン１１４または下矢印ボタン１１６を押す。患者の検査が強調表示されたら、リムーバブル・ディスクへの転送を初期化するために、「ディスクへの記録」ソフト・キー１１８を押す。特定の患者の検査の詳細を閲覧したい場合には、患者名およびＩＤを強調表示し、入力ボタン１２０を押す。
【００４０】
ディスクを終了するために、ＭＤＲユーティリティ・メニュー項目を使用することができる。ユーティリティ・メニューは、また、現在のＭＤＲの設定、シリアル番号、ＣＰＵ温度、およびソフトウェア・バージョンを閲覧するために使用することができる複数の情報画面を含む。ユーティリティ・メニューにアクセスするには、ＭＤＲのディスプレイが「ディスク書込みプロセス」画面を表示した場合に、下矢印キーを押す。
【００４１】
ＭＤＲシネ・パラメータ画面にアクセスするには、ＭＤＲユーティリティ・メニューを入力し、「シネ」選択を強調表示するために矢印ボタンを押し、次に、入力ボタンを押す。シネ・パラメータ画面に、現在のシネ長さおよびフレーム・レートが表示される。変更するパラメータを選択するには、上および下矢印ボタンを押す。次に、パラメータを編集するために「入力」ボタンを押す。シネ長さを変更するには、上および下矢印ボタンを押す。フレーム・レートを変更するには、「入力」ボタンを押す。
【００４２】
ＭＤＲディスク・ユーティリティ機能にアクセスするには、ＭＤＲユーティリティ・メニューを入力し、「ディスク」選択を強調表示するために上および下矢印ボタンを押す。「終了」画面が、操作者に「終了を継続しますか？」とプロンプトする。続行するには「ＯＫ」を選択し、抜け出すには「キャンセル」を選択する。終了プロセスは、ディスクにＤＩＣＯＭビューア・アプリケーションのようなビューア・アプリケーション・プログラムを書き込むことができ、ディスクを他のＣＤまたはＤＶＤドライブと互換性を有するようにする。このビューア・アプリケーションにより、ＤＩＣＯＭビューアを有していないパーソナル・コンピュータ上で、ディスクにすでに書き込まれているＤＩＣＯＭ画像を閲覧することができる。ＭＤＲ上で、ＣＤまたはＤＶＤにログ・ファイルをコピーすることができるログ・ユーティリティ機能を使用することもできる。
【００４３】
ＭＤＲは、システム設定メニューを通して操作者の好みおよびビデオ撮像用に構成されている。システム設定メニューには、矢印ボタンおよび「入力」ボタンを押すことによりアクセスすることができる。ＭＤＲは、ボタンが押されている間、「ディスク書込み進行中」画面を表示しなければならない。左右の矢印ボタンは、設定メニュー内をナビゲートするために使用することができる。「入力」ボタンは、強調表示したメニュー項目を選択するために使用することができる。上および下矢印ボタンは、選択した項目の値を変更するために使用される。「ＯＫ」ソフト・キーは、変更をセーブするために使用され、または「キャンセル」ソフト・キーは、変更をセーブしないで設定メニューから抜け出すために使用される。
【００４４】
本発明のＭＤＲを使用すると、ビデオ記録プロセスが簡単になり、ユーザはボタンに触れることにより、またはフットスイッチを使用することにより、静止画像、ループおよびシネを容易に記録することができる。遡り記録（ｒｅｔｒｏｓｐｅｃｔｉｖｅ  ｒｅｃｏｒｄ）および見込み記録（ｐｒｏｓｐｅｃｔｉｖｅ  ｒｅｃｏｒｄ）モードの両方を有し
ているので、所望のイベントの直前または直後の画像データのユーザ指定の秒間または分間の捕捉がサポートされる。またＭＤＲを使用すれば、長い動的ラン（ｄｙｎａｍｉｃ  ｒｕｎ）を連続的に直線的に記録することができ、またはストリーミング・ビデオ・データから直接１つのフレームをワンボタンで捕捉することができる。ＭＤＲは、ユーザが観察および診断に集中している場合に、効率的に自動的に作業している間に画像記録プロセスを変換する。
【００４５】
ＭＤＲ記録ディスクを使用すれば、数秒の重要なデータを入手するために、退屈で時間がかかるレビューおよび巻き戻しプロセスを行わないですむ。ＭＤＲが有する種々の記録モードを使用することにより、ＣＤまたはＤＶＤ上に捕捉した重要でない画像データの量が低減し、ユーザは最も重要な臨床データに集中することができる。また、ＭＤＲがＤＶＤまたはＣＤメディアに記録するので、任意のパーソナル・コンピュータをレビュー・ステーションとして使用することができる。
【００４６】
図８は、ＤＩＣＯＭアプリケーションの本発明の医用デジタル記録装置１０のアプリケーション・データのフローチャート１２２である。ＭＤＲは、種々のＤＩＣＯＭサービス・オブジェクト・ペア（ＳＯＰ）インスタンス１２４により、ＣＤまたはＤＶＤメディア上に記録する。ＭＤＲは、種々の情報オブジェクト定義（ＩＯＤ）を処理することができる。ＳＯＰインスタンスは、ネットワークを介してＤＩＣＯＭアプリケーション・エンティティ（ＡＥ）からの要求として受信され、サービス・クラス・ユーザ（ＳＣＵ）として機能し、種々の記憶サービス・クラスのうちの１つを要求する。記憶アプリケーション１２６は、種々の記憶ＳＯＰクラスに対してサービス・クラス・プロバイダ（ＳＣＰ）としての働きをする。ＭＤＲは、ネットワークを介して記憶アプリケーション１２６が入手した種々のＳＯＰインスタンスを含むことができる内部ハード・ドライブを使用するローカル・ストレージを有する。メディア記録装置アプリケーション１２８は、下記の記憶媒体１３０、すなわち、ＣＤ−Ｒ、ＣＤ−ＲＷ、ＤＶＤ＋ＲおよびＤＶＤ＋ＲＷのうちの任意の媒体上に新しいＤＩＣＯＭファイル・セットを生成するためにＦＳＣとして機能することにより、媒体を初期化することができる。ＭＤＲの設計はモジュラ・タイプであり、ＭＤＲは、ＣＤだけ、ＤＶＤだけ、またはＣＤ／ＤＶＤの組合せドライブと一緒に構成することができる。ＭＤＲは、ＤＩＣＯＭファイル・セットを初期化し、媒体上に特定のＳＯＰインスタンスを書き込む。書き込まれたＳＯＰインスタンスは、サポートされ、使用しているアプリケーション・プロファイルの基準と一致するインスタンスに限定される。ＭＤＲは、２つのアプリケーション・エンティティ、すなわち、メディア記録装置アプリケーション１２８および記憶アプリケーション１２６を有する。メディア記録装置アプリケーション１２８は、１枚のＣＤ／ＤＶＤメディアを初期化し、媒体上に新しいＤＩＣＯＭファイル・セットを書き込む。メディア記録装置アプリケーション１２８は、また、１枚のＣＤ／ＤＶＤメディア上のファイル・セットのディレクトリ・リストを表示する。記憶アプリケーション１２６は、種々のＤＩＣＯＭストレージ・サービス・クラスに対してサービス・クラス・プロバイダとして機能し、ＭＤＲがネットワークを介してＳＯＰインスタンスを受信できるようにする。
【００４７】
ＭＤＲは、１枚のＤＶＤ上で４．３５ＧＢの記憶域を提供し、その内部ハード・ドライブ上で最大４０ＧＢの記憶域を提供する。テープ記録固有のアーティファクトに妨害されずに、画像を記憶し、検索することができ、任意のワークステーション上で閲覧することができる。ＭＤＲは、また、ＣＤおよびＤＶＤメディア上にも記録する。
【００４８】
ＭＤＲは、主として、ソースからアナログ・ビデオを変換し、それをＤＩＣＯＭフォーマットでＤＶＤメディアに書き込むように設計されている。ＭＤＲが記録した媒体は、ＤＩＣＯＭの１０部に対して互換性を有し、医用アーカイブおよびワークステーションが画像データに直接アクセスできるようにする。ＭＤＲは、また、任意のパーソナル・コンピ
ュータからレビューするために、各ディスク上にＤＩＣＯＭビューアを設置する。
【００４９】
ＭＤＲは、動的医用撮像のワークフローに一致するように設計されている種々の記録モードを含む。ＭＤＲは、操作者またはユーザにより下記のモード、すなわち遡りモード、見込みモード、シーケンシャル・モードまたはスナップショット・モードで画像を記録するように設定することができる。他のすべての従来技術の映像記録装置は、時系列で発生する場合、他の画像の後にある画像の順次捕捉したすべての画像を順次記録するように設計されている。対照的に、ＭＤＲは、特定の時間およびフレーム・レートで記録するように設定することができ、「記録」ボタンを押した場合には、着脱可能記録媒体に、遡り画像（すでに時間が経過した画像）または見込み画像（将来発生する画像）を書き込むように設定することができる。さらに、動的画像を、ソースを第１の中断またはフリーズ・フレーミングなしで、静止画像として捕捉することができる１つのフレームの高解像度のスナップショット画像として閲覧することができる。ＭＤＲは、また、シーケンシャルに画像を捕捉し、記録するために、「記録」、「ポーズ」および「ストップ」ボタンを押すことにより従来の方法で使用することができる。
【００５０】
イベントが発生した後で情報を記録する動作である遡りキャプチャ・モード中、ユーザは、ＭＤＲ上で１０分のバッファを生成するために、例えば、１０分のキャプチャ時間を設定することができる。それ故、例えば、ユーザが患者の肝臓上で超音波を使用している間、ユーザは、発見するのに２５分かかるあるものを探すことができるが、ユーザが探していたものを発見した場合には、ユーザはストップさせ、２５分全部ではなく、検査の最長１０分だけを記録することができる。
【００５１】
ＭＤＲは、また、光学式文字認識の１つの形である自動文字認識（ＡＣＲ）を含む。ＡＣＲを使用すれば、患者名、ＩＤ番号および登録番号（ａｃｃｅｓｓｉｏｎ  ｎｕｍｂｅｒ）をビデオ・ソースからリアルタイムで抽出し、デジタル・テキスト・フィールドに変換することができる。テキスト・フィールドは、再生中、参照、データベース管理およびデータ検索を容易に行うことができるようにするために、リムーバブル・ディスク上のファイル・ヘッダ・データ内に正しく入れられる。すなわち、ＡＣＲは、ビデオ情報から患者名、ＩＤ番号、および登録番号を識別し、その情報を画像データと一緒にＤＩＣＯＭファイル内に入力する。このことは、操作者が、システム内にこの情報を手動で入力する必要がないことを意味する。ＭＤＲシステムが内蔵しているソフトウェア・アルゴリズムにより、ビデオ信号からデータが読み出される。
【００５２】
ＭＤＲは、患者の画像および情報へのアクセスを規制するための多数のツールを提供することにより、ＨＩＰＡＡ（医療保険および患者への説明責任に関する法律）に適合することを念頭において設計されている。従来技術の映像記録装置は、ほとんどＨＩＰＡＡ要件を無視してきた。本発明のＭＤＲは、着脱可能な記録済み媒体上での操作者ログイン、パスワード保護、およびＨＩＰＡＡ肯定応答画面を必要とする特定のＨＩＰＡＡコンプライアンス機能を内蔵している。ＭＤＲは、健康管理プロバイダが正しい場所に有することができる任意のＨＩＰＡＡ実施とよく適合する。
【００５３】
好ましい実施形態を参照しながら本発明を説明してきたが、当業者であれば、本発明の精神から逸脱することなしに、実施形態に種々の置換、変更および省略を行うことができることを理解することができるだろう。それ故、上記説明は例示としてだけのものであって、添付の特許請求の範囲に記載する本発明の範囲を制限するものではない。
【図面の簡単な説明】
【００５４】
【図１】本発明による２つの異なるアプリケーションでの医用デジタル記録装置の略図。
【図２】本発明の医用デジタル記録装置のブロック図。
【図３】本発明の医用デジタル記録装置の例示としての前面パネルの図面。
【図４】本発明の医用デジタル記録装置の例示としての後面パネルの図面。
【図５】本発明の医用デジタル記録装置のディスプレイの図面。
【図６Ａ】保管モード中の記録プロセスを示す本発明の医用デジタル記録装置のディスプレイの図面。
【図６Ｂ】保管モード中の記録プロセスを示す本発明の医用デジタル記録装置のディスプレイの図面。
【図６Ｃ】保管モード中の記録プロセスを示す本発明の医用デジタル記録装置のディスプレイの図面。
【図７Ａ】個別患者モード中の記録プロセスを示す本発明の医用デジタル記録装置のディスプレイの図面。
【図７Ｂ】個別患者モード中の記録プロセスを示す本発明の医用デジタル記録装置のディスプレイの図面。
【図７Ｃ】個別患者モード中の記録プロセスを示す本発明の医用デジタル記録装置のディスプレイの図面。
【図８】ＤＩＣＯＭアプリケーションの本発明の医用デジタル記録装置のアプリケーション・データのフローチャート。
【図１】
2006181357.tif 000003
【図２】
2006181357.tif 000004
【図３】
2006181357.tif 000005
【図４】
2006181357.tif 000006
【図５】
2006181357.tif 000007
【図６Ａ】
2006181357.tif 000008
【図６Ｂ】
2006181357.tif 000009
【図６Ｃ】
2006181357.tif 000010
【図７Ａ】
2006181357.tif 000011
【図７Ｂ】
2006181357.tif 000012
【図７Ｃ】
2006181357.tif 000013
【図８】
2006181357.tif 000014
【外国語明細書】
2006181357.tif 000015
2006181357.tif 000016
2006181357.tif 000017
2006181357.tif 000018
2006181357.tif 000019
2006181357.tif 000020
2006181357.tif 000021
2006181357.tif 000022
2006181357.tif 000023
2006181357.tif 000024
2006181357.tif 000025
2006181357.tif 000026
2006181357.tif 000027
2006181357.tif 000028
2006181357.tif 000029
2006181357.tif 000030
2006181357.tif 000031
2006181357.tif 000032
2006181357.tif 000033
2006181357.tif 000034
2006181357.tif 000035
2006181357.tif 000036
2006181357.tif 000037
2006181357.tif 000038
2006181357.tif 000039
2006181357.tif 000040
2006181357.tif 000041
2006181357.tif 000042
2006181357.tif 000043
2006181357.tif 000044
2006181357.tif 000045
2006181357.tif 000046
2006181357.tif 000047
2006181357.tif 000048